(57)【要約】【課題】ユーザが把持すると即時に、最適なタッチ感度に設定、オブジェクトの表示サイズの設定、アプリケーションの起動を行う電子機器を提供すること。【解決手段】電子機器（１、１ａ）においてユーザが当該電子機器を把持した場合に静電容量または圧力を測定するセンサ部（１０、５０）から値を受け取るセンサ値取得部（４１）と、最適なタッチ感度、オブジェクトの表示サイズ、起動するアプリケーションを決定する感度決定部（４２）を備える。【選択図】図１
2019020854.tif 000002
【特許請求の範囲】
【請求項１】
少なくとも１つの静電容量方式のタッチセンサまたは少なくとも１つの圧力センサと、少なくとも１つのタッチパネルと、少なくとも１つの制御装置とを備えている電子機器であって、
上記制御装置は、
上記静電容量方式のタッチセンサまたは圧力センサの値を取得し、
上記取得したセンサの値を参照して、上記タッチパネルの感度を決定する
ことを特徴とする電子機器。
【請求項２】
少なくとも１つの表示装置を更に備え、
上記制御装置は、上記取得したセンサ値に応じて、上記表示装置に表示するオブジェクトの表示サイズを変更することを特徴とする請求項１に記載の電子機器。
【請求項３】
上記制御装置は、上記取得したセンサ値に応じたアプリケーション群に含まれるアプリケーションを起動することを特徴とする請求項１または２に記載の電子機器。
【請求項４】
少なくとも１つの静電容量方式のタッチセンサまたは少なくとも１つの圧力センサと、少なくとも１つのタッチパネルとを備えている電子機器を制御する制御装置であって、
上記静電容量方式のタッチセンサまたは圧力センサの値を取得するセンサ値取得部と、
上記取得したセンサの値を参照して、上記タッチパネルの感度を決定する感度決定部とを備えていることを特徴とする制御装置。
【請求項５】
請求項１に記載の電子機器としてコンピュータを機能させるための制御プログラムであって、上記コンピュータを上記制御装置として機能させることを特徴とする制御プログラム。
【請求項６】
請求項５に記載の制御プログラムを記録したコンピュータ読み取り可能な記録媒体。
【発明の詳細な説明】
【技術分野】
【０００１】
本発明は、電子機器、制御装置、制御プログラム、及び記憶媒体に関する。
【背景技術】
【０００２】
近年、冬季に手袋を装着した状態でも、スマートフォンのタッチパネル操作ができるように、「グローブモード」（または「手袋モード」）などと呼ばれる、タッチパネルの感度を変更したモードにて動作可能な端末が多い（例えば、下記特許文献１）。なお、以下では、タッチ感度を変更しないモードを以下では、通常モードという。
【先行技術文献】
【特許文献】
【０００３】
【特許文献１】特開２０１２―１９４７９１（２０１２年１０月１１日公開）
【特許文献２】特開２０１４−１４２８９４（２０１４年８月７日公開）
【特許文献３】特開２０１３−６９２１９（２０１３年４月１８日公開）
【特許文献４】特開２０１６−１０１１１（２０１６年１月１８日公開）
【発明の概要】
【発明が解決しようとする課題】
【０００４】
従来の技術では、手袋を外したユーザが端末の設定画面を操作することによりモードを変更することを前提としているものが多い。しかしこの方法では、既に手袋を装着した状態において、とっさに端末を操作したい場合には、一度手袋を外す必要があり、不便である。
【０００５】
ユーザが端末の設定画面を操作すること以外での「グローブモード」への切替方法として、端末に内蔵されている加速度センサを用いて、端末を振ったことなどを検知し、「グローブモード」に切り替えるという技術も知られている。しかし、このような構成では、端末を振るという操作を追加で行う必要があるため、ユーザにとって煩わしさがある。
【０００６】
本発明の一態様は、上記の課題に鑑みてなされたものであり、タッチパネルの感度の切り替えに関し、簡便性と即時性とを向上させた電子機器を実現することにある。
【課題を解決するための手段】
【０００７】
上記の課題を解決するために、本発明の一態様に係る電子機器は、ユーザが上記電子機器を把持した場合の静電容量または圧力を検出するセンサ部（グリップセンサ部または圧力センサ部をいう）、上記センサ部から値を受け取るセンサ値取得部、上記センサ値に応じたタッチ感度を決定する感度決定部、上記状態を反映するためのタッチパネル部、及び画面表示部を備えている。
【発明の効果】
【０００８】
本発明の一態様によれば、タッチパネルの感度の切り替えに関し、簡便性と即時性とを向上させた電子機器を実現することができる。
【図面の簡単な説明】
【０００９】
【図１】本発明の実施形態１に係る電子機器の構成を示すブロック図である。
【図２】図１に示す電子機器の外観を示す図である。
【図３】本発明の実施形態１に係る電子機器のフローチャートである。
【図４】本発明の実施形態２に係る電子機器のフローチャートである。
【図５】本発明の実施形態３に係る電子機器のフローチャートである。
【図６】本発明の実施形態４に係る電子機器の構成を示すブロック図である。
【図７】本発明の実施形態４〜６に係る電子機器のフローチャートである。
【発明を実施するための形態】
【００１０】
以下、本発明の実施形態について図１〜図７に基づいて説明すれば以下の通りである。
【００１１】
〔実施形態１〕
[１．電子機器１の構成]
まず、図１及び図２に基づいて電子機器１の構成を説明する。図１は本発明の本実施形態に係る電子機器１の機能ブロック図である。図１に示す通り、電子機器１はグリップセンサ部１０、
画面表示部２０、タッチパネル部３０、及び制御部（制御装置）４０を備えている。グリップセンサ部１０はグリップセンサ１１とセンサ制御部１２とを備えている。センサ制御部１２は、センサ検出部１３とセンサ信号送出部１４とを備えており、それらを制御するためのソフトウェアモジュール（ファームウェア）がセンサ制御部１２において動作している。
【００１２】
グリップセンサ１１に対する物体の接触があった場合、センサ検出部１３はグリップセンサ１１の静電容量値を読み取り、読み取った静電容量値をグリップセンサ信号に変換する。センサ信号送出部１４は上記センサ信号を制御部４０のセンサ値取得部４１に送出する。
【００１３】
制御部４０は、センサ信号送出部１４から取得したグリップセンサ信号を参照して、端末のモードを「通常モード」と「グローブモード」とのどちらにするかを、感度決定部４２にて判定を行い、判定結果に応じたタッチ感度制御信号をタッチパネル部３０に対して供給する。
【００１４】
ここで、「グローブモード」は、「通常モード」に比べてタッチ感度を高めたモードのことである。
【００１５】
また図２は図１に示す電子機器１の外観を示す図である。
【００１６】
画面表示部２０は表示パネルであり、電子機器１が携帯端末の場合は図２のように当該携帯端末の前面に備えつけられていることが多い。制御部４０からの切り替え信号を受けユーザに対し動画像、テキスト、及びその他表示オブジェクトの表示を行う。
【００１７】
タッチパネル部３０は、画面表示部２０に重畳して、または、画面表示部２０に一体で設けられたタッチセンサ（タッチパネル）３１と、タッチパネル制御部３２とを備えている。また、タッチパネル制御部３２は、タッチ検出部３３、タッチ信号送出部３４、及びタッチ感度制御部３５を備えており、タッチパネル制御部３２では、それらを制御するためのソフトウェアモジュール（ファームウェア）が動作している。
【００１８】
タッチ感度制御部３５は制御部４０から取得したタッチ感度制御信号を参照し、タッチセンサ（タッチパネル）３１に物体が接触した場合の判定に用いる所定の閾値を設定する。
【００１９】
タッチセンサ（タッチパネル）３１に物体の接触が確認されると、タッチ検出部３３がタッチセンサ（タッチパネル）３１の静電容量値を読み取り、タッチセンサ信号に変換する。
【００２０】
タッチ感度制御部３５は制御部４０からの信号を参照して、タッチ検出部３３で得られた上記静電容量値がユーザの操作によるタッチに相当するか否かを判定し、タッチセンサ（タッチパネル）３１がタッチされたことに相当する場合は、タッチ信号送出部３４から制御部４０に対して、タッチ位置を示すタッチ位置信号を送出する。なお、タッチ感度制御部３５による具体的な判定処理については、後述する。
【００２１】
制御部４０は上記の制御に加えさらに画面表示部２０に表示する各種オブジェクトの表示に関する制御を行う。
【００２２】
[２．電子機器１におけるモード選択及び画面表示の処理の流れ]
次に電子機器１における処理の流れについて図３に基づき説明する。図３はユーザが電子機器１を把持またはグリップセンサ部１０に物体が接触した場合の画面表示及びモード選択の処理の流れを示すフローチャートである。
【００２３】
（Ｓ１０１）
ステップＳ１０１では、感度決定部４２がグリップセンサ１１の静電容量の値に基づく判定を行う。
【００２４】
上記静電容量が所定の閾値ｘ２未満である場合（Ｓ１０１で静電容量がｘ２未満）、感度決定部４２は、対象の接触が、ユーザが電子機器１を把持することによるグリップセンサ１１に対する接触ではないと判断し、上記グリップ信号を反映した新たな動作を行わない（Ｓ１０７）。これにより、ユーザが触れていないにも関わらず画面表示部２０に画面が表示されてしまう誤作動を防ぐことができる。
【００２５】
一方で、上記静電容量がｘ２以上で、所定の閾値ｘ１（ｘ１はｘ１＞ｘ２を満たす）未満である場合（Ｓ１０１で静電容量がｘ２以上かつｘ１未満）、感度決定部４２は、ユーザが手袋を着用した状態で電子機器１を把持したと判断し、ステップＳ１０５に進む。
【００２６】
一方で、上記静電容量がｘ１以上である場合（Ｓ１０１で静電容量がｘ１以上）、感度決定部４２は、ユーザが素手で電子機器１を把持したと判断し、ステップＳ１０２に進む。
【００２７】
（Ｓ１０２）
ステップＳ１０１で静電容量がｘ１以上である場合、ステップＳ１０２において、画面表示部２０による画面表示がＯＦＦであるか否かを制御部４０が判定する。画面が表示されていない場合にステップＳ１０３に進み、画面が表示されている場合にはステップＳ１０４に進む。
（Ｓ１０３）
画面表示部２０に何も表示がされていない場合（Ｓ１０２でＹＥＳ）、ステップＳ１０３において、制御部４０は、通常モードで電子機器１の画面表示部２０の画面表示をＯＮにする。
（Ｓ１０４）
一方で、画面表示部２０に画面が既に表示されている場合（Ｓ１０２でＮＯ）、制御部４０は、タッチ感度に関する指示は行わない。通常の使用においてセンサ検出部１３が、グリップセンサ１１に対する接触を検知するたびに制御部４０がグローブモードまたは通常モードをその都度設定する必要は無いので、制御部４０の処理リソースの節約を行うことができる。
（Ｓ１０５）
ステップＳ１０１において、ユーザが手袋を着用した状態で電子機器１を把持したと感度決定部４２が判断した場合（Ｓ１０１で静電容量がｘ２以上かつｘ１未満）、制御部４０は、ステップＳ１０５において、画面表示部２０に画面が表示されているか否かを判定する。
【００２８】
画面表示部２０に何も表示されていない場合にステップＳ１０６に進み、画面が表示されている場合はステップＳ１０７に進む。
（Ｓ１０６）
画像表示部に何も表示がされていない場合（Ｓ１０５でＹＥＳ）、ステップＳ１０６において、制御部４０は、グローブモードで電子機器１の画面表示部２０の画面表示をＯＮにする。
（Ｓ１０７）
一方で、画面表示部２０に画面が既に表示されている場合（Ｓ１０５でＮＯ）、ステップＳ１０４と同様に制御部４０はタッチ感度に関する指示は行わない。
【００２９】
上記の構成によれば、グリップセンサ１１の静電容量がｘ１以上である場合に、通常モードで画面表示をＯＮにし、グリップセンサ１１の静電容量がｘ１未満かつｘ２以上（ｘ２＜ｘ１）である場合に、通常モードよりもタッチ感度を高めたグローブモードで画面表示をＯＮにする。したがって、上記の構成によれば、ユーザが当該電子機器を把持するだけで、意識することなく手袋の着用の有無に応じたモードの切り替えが可能である。したがって、簡便性と即時性とを向上させつつタッチパネルの感度を切り替えることができる。換言すれば、ユーザの煩わしさを低減しつつ、タッチパネルの感度を切り替えることができる。
【００３０】
〔実施形態２〕
本発明の他の実施形態について、図４に基づいて説明すれば、以下の通りである。
【００３１】
本実施形態に係る電子機器１は、実施形態１に係る電子機器１と同様の構成を有している。なお、説明の便宜上、前記実施形態にて説明した部材と同じ機能を有する部材については、同じ符号を付記し、その説明を省略する。
【００３２】
図４は、ユーザが電子機器１を把持またはグリップセンサ部１０に物体が接触した場合の画面表示及びモード選択の処理の流れを示すフローチャートである。
【００３３】
本実施形態においては、処理部４０が画面表示部２０にグローブモードでオブジェクトを表示する場合（実施形態１におけるＳ１０３またはＳ１０６に相当）には通常モードで表示する場合とは異なったサイズでの上記オブジェクトの表示を規定する。グローブモードで動作している場合にはユーザは手袋を着用しているので、細かい操作がし辛いという課題もある。本実施形態では、この課題を解決するために、グローブモードにおいて、通常モードよりオブジェクトを大きく表示する構成について説明を行う。
【００３４】
図４において、ステップＳ１０１、Ｓ１０２、Ｓ１０４、Ｓ１０５、及びＳ１０７は、実施形態１において説明した図３の各ステップと同様である。本実施形態における電子機器１における処理の流れには、図４に示すように、実施形態１に係るステップＳ１０３に代えて、ステップＳ１１３が、ステップＳ１０６に代えてステップＳ１１６がそれぞれ含まれている。
【００３５】
本実施形態において、ステップＳ１０２及びＳ１０５に至るまでの構成並びにＳ１０４及びＳ１０７の構成は実施形態１の場合と同様である。
【００３６】
（Ｓ１０２）
ユーザが素手で電子機器１を把持したと感度決定部４２が判断した場合（Ｓ１０１で静電容量がｘ１以上）、ステップＳ１０２において、画面表示部２０による画面表示がＯＦＦであるか否かを制御部４０が判定する。画面が表示されていない場合にステップＳ１１３に進み、画面が表示されている場合にはステップＳ１０４に進む。
（Ｓ１０５）
ステップＳ１０１において、ユーザが手袋を着用した状態で電子機器１を把持したと感度決定部４２が判断した場合（Ｓ１０１で静電容量がｘ２以上かつｘ１未満）、ステップＳ１０５では制御部４０が画面表示部２０に画面が表示されているか否かを判定する。
【００３７】
画面表示部２０に何も表示されていない場合にステップＳ１１６に進み、画面が表示されている場合はステップＳ１０７に進む。
（Ｓ１１３）
グリップセンサ１１の静電容量がｘ１以上で画面表示部２０に何も表示がされていない場合（Ｓ１０２でＹＥＳ）、ステップＳ１１３において、制御部４０は、通常モードで電子機器１の画面表示部２０の画面表示をＯＮにする。
【００３８】
また、制御部４０が所定の大きさ（図４における表示サイズＡ）で画面表示部２０に各種オブジェクトを表示する。ここで、所定の大きさで各種オブジェクトを表示するとは、解像度を規定値（例えば、７６８×１０２４）から変更せずにオブジェクトを表示することを含む。
（Ｓ１１６）
グリップセンサの静電容量がｘ２以上かつｘ１未満で画面表示部２０に何も表示がされていない場合、（Ｓ１０５でＹＥＳ）ステップＳ１１６では制御部４０がグローブモードで画面表示部２０に画面を表示させると共に、上記画面表示部２０に表示するオブジェクトの表示サイズを通常モードで表示するよりも大きく表示する（図４における表示サイズＢ）。
【００３９】
ここで、オブジェクトの表示サイズを通常モードで表示するよりも大きく表示するとは、表示画面の解像度を規定値よりも小さくして（例えば、３６０×６４０に変更して）オブジェクトを表示することを含む。
【００４０】
例えば、表示画面の解像度を２分の１にしてオブジェクトを表示するとユーザから見たオブジェクトの大きさは２倍になるので、ユーザはオブジェクトへのタッチ操作を容易に行うことができる。
【００４１】
また、オブジェクトの表示サイズを通常モードで表示するよりも大きく表示するとは、画面表示の解像度を変更せずに、オブジェクトの画像データを変更することにより、当該オブジェクトのサイズを大きくすることを含む。
【００４２】
上記の構成により、実施形態１の効果に加え、以下の効果を奏する。すなわち、ユーザが追加の操作を行うことなく、オブジェクトへのタッチ操作を容易に行えるようになるので、よりユーザが望む操作を反映させることができる。
【００４３】
[実施形態３]
本発明の他の実施形態について、図５に基づいて説明すれば、以下の通りである。
【００４４】
本実施形態に係る電子機器１は、実施形態１に係る電子機器１と同様の構成を有している。なお、説明の便宜上、前記実施形態にて説明した部材と同じ機能を有する部材については、同じ符号を付記し、その説明を省略する。
【００４５】
図５は、ユーザが電子機器１を把持またはグリップセンサ部１０に物体が接触した場合の画面表示及びモード選択の処理の流れを示すフローチャートである。
【００４６】
本実施形態では、画面表示部２０に画面を表示する場合（実施形態１におけるＳ１０３またはＳ１０６に相当）に、最初に起動するアプリケーションを規定する。
【００４７】
例えば、電子機器１の画面表示部２０の画面表示をグローブモードでＯＮにする場合には通常屋外にいると考えられるので、ユーザが最初に起動させるアプリケーションは地図アプリや時刻表等の屋外で使用される頻度が多いアプリケーションとなる傾向がある。一方で、ユーザは、屋内では、上記のような屋外で使用される頻度が多いアプリケーション以外のアプリケーション、言い換えれば、屋内で起動される頻度が多いアプリケーション群に属するアプリケーションを起動する傾向がある。本実施形態では、上記のような傾向を鑑み、ユーザに対して、より好適なアプリケーションを起動する構成について説明を行う。
【００４８】
図５において、ステップＳ１０１、Ｓ１０２、Ｓ１０４、Ｓ１０５、及びＳ１０７は、実施形態１において説明した図３の各ステップと同様である。本実施形態における電子機器１における処理の流れには、図５に示すように、実施形態１に係るステップＳ１０３に代えて、ステップＳ１２３が、ステップＳ１０６に代えてステップＳ１２６がそれぞれ含まれている。
【００４９】
本実施形態において、ステップＳ１０２及びＳ１０５に至るまでの構成並びにＳ１０４及びＳ１０７の構成は実施形態１の場合と同様である。
【００５０】
（Ｓ１０２）
ユーザが素手で電子機器１を把持したと感度決定部４２が判断した場合（Ｓ１０１で静電容量がｘ１以上）、ステップＳ１０２において、画面表示部２０による画面表示がＯＦＦであるか否かを制御部４０が判定する。画面が表示されていない場合にステップＳ１２３に進み、画面が表示されている場合にはステップＳ１０４に進む。
（Ｓ１０５）
ステップＳ１０１において、ユーザが手袋を着用した状態で電子機器１を把持したと感度決定部４２が判断した場合（Ｓ１０１で静電容量がｘ２以上かつｘ１未満）、ステップＳ１０５では制御部４０が画面表示部２０に画面が表示されているか否かを判定する。
【００５１】
画面表示部２０に何も表示されていない場合にステップＳ１２６に進み、画面が表示されている場合はステップＳ１０７に進む。
（Ｓ１２３）
グリップセンサ１１の静電容量がｘ１以上で画面表示部２０に何も表示がされていない場合（Ｓ１０２でＹＥＳ）、ステップＳ１２３において、制御部４０は、通常モードで電子機器１の画面表示部２０の画面表示をＯＮにする。
【００５２】
その場合、制御部４０が屋内で起動される頻度が多いアプリケーション群に属する所定のアプリケーション（図５におけるアプリケーションＡ）を起動させる。これにより、ユーザにとって好適なアプリケーションを起動することができる。
【００５３】
ここで上記の屋内で起動される頻度が多いアプリケーション群に属するアプリケーションには例えば動画鑑賞や家計簿等のアプリケーションが含まれる。
【００５４】
なお本願においてアプリケーションとは他のアプリケーション群を簡易に起動するためのアプリケーション（ランチャー）を当然に含む。
（Ｓ１２６）
グリップセンサ１１の静電容量がｘ２以上かつｘ１未満で画面表示部２０に何も表示がされていない場合、（Ｓ１０５でＹＥＳ）、ステップＳ１２６において、制御部４０は、グローブモードで電子機器１の画面表示部２０の画面表示をＯＮにする。
【００５５】
その場合、制御部４０が屋外で起動される頻度が多いアプリケーション群に属する所定のアプリケーション（図５におけるアプリケーションＢ）を起動させる。これにより、ステップＳ１２３と同様、ユーザにとって好適なアプリケーションを起動することができる。
【００５６】
なおグローブモードでの動作はユーザが手袋を着用し、通常屋外にいることを想定しているので、アプリケーションＢには、例えば、地図や時刻表等のアプリケーションが含まれる。
【００５７】
このように、本実施形態によれば、実施形態１の効果に加え、ユーザにとって好適なアプリケーションを起動することができるという更なる効果を奏する。
【００５８】
＜実施形態１〜３に関する付記事項＞
上記実施形態１〜３において実際には、ｘ１及びｘ２の二値だけを参照した判定（通常モード、及びグローブモードの二種類の設定）に限定されない。例えば、３値以上の閾値を参照した判定を行うことによって、３つ以上のモードの何れかのモードを設定する構成としてもよい。
【００５９】
静電容量値は手袋着用の有無だけでなく、電子機器１のユーザ及びグリップセンサ１１に対する接触面の状態や湿度等の要因にも左右されるので、上記静電容量値に従属したタッチ感度をそれぞれ設定することも可能である。
【００６０】
〔実施形態４〕
本発明の他の実施形態について、図１、図３、図６、及び図７に基づいて説明すれば、以下の通りである。
【００６１】
[１．電子機器１ａの構成]
本実施形態に係る電子機器１ａは、実施形態１〜３における静電容量方式のタッチセンサの代替として、圧力センサを備えている。このような構成であっても、従来の加速度センサを用いて電子機器を振る動作が必要になる場合と比較するとユーザが画面を見たままの状態で当該操作を行うことができ、また、ユーザが体勢を変える必要も無いので、ユーザの利便性が向上する。
【００６２】
図６に基づいて電子機器１ａの構成を説明する。図６は本実施形態に係る電子機器１ａの機能ブロック図である。図６は、図１におけるグリップセンサ部１０が圧力センサ部５０に置き換えられている。
【００６３】
圧力センサ部５０は圧力センサ５１と圧力センサ制御部５２とを備え、さらに圧力センサ制御部５２は圧力検出部５３と圧力信号送出部５４とを備え、それらを制御するためのソフトウェアモジュール（ファームウェア）が圧力センサ制御部５２で動作している。
【００６４】
圧力センサ５１に対する物体の接触または加圧があった場合、圧力検出部５３は圧力センサ５１の圧力値を読み取り圧力センサ信号に変換する。圧力信号送出部５４は上記圧力センサ信号を制御部４０のセンサ値取得部４１に送出する。
【００６５】
制御部４０は、圧力信号送出部５４から取得した圧力センサ信号を参照して、端末のモードを「通常モード」と「グローブモード」とのどちらにするかを、感度決定部４２にて判定を行い、判定結果に応じたタッチ感度制御信号をタッチパネル部３０に対して供給する。
【００６６】
タッチ感度制御部３５は制御部４０から取得したタッチ感度制御信号を参照し、タッチセンサ（タッチパネル）３１に物体が接触した場合の判定に用いる所定の閾値を設定する。
【００６７】
以下、画面表示部２０、タッチパネル部３０、及び制御部４０の画面表示部２０に対する処理に関しては実施形態１の場合と同様の構成である。
【００６８】
[２．電子機器１ａにおけるモード選択及び画面表示の処理の流れ]
次に電子機器１ａにおける処理の流れについて図７に基づき説明する。図７は、ユーザが電子機器１ａを把持または圧力センサ５１に対する物体の接触または加圧があった場合の画面表示及びモード選択の処理の流れを示すフローチャートである。
【００６９】
図３のステップＳ１０１で行われているようなグリップセンサ１１の静電容量値による判定ではなく、圧力センサ５１にかかる圧力に係る判定に基づき、制御部４０は画面表示部２０及びタッチパネル部３０に送出する信号を制御する。
【００７０】
図７において、ステップＳ１０２〜Ｓ１０７は、実施形態１において説明した図３の各ステップと同様である。本実施形態における電子機器１ａにおける処理の流れには、図７に示すように、実施形態１に係るステップＳ１０１に代えて、ステップＳ２０１が含まれている。
（Ｓ２０１）
ステップＳ２０１では、感度決定部４２が圧力センサ５１の値に基づく判定を行う。
Ｓ２０１において圧力センサ５１にかかる圧力がｐ２未満、圧力がｐ２以上かつｐ１未満、圧力がｐ１以上であるとは実施形態１における図３のステップＳ１０１の静電容量がｐ２未満、静電容量がｐ２以上かつｐ１未満、静電容量がｐ１以上である場合にそれぞれ相当し、以下同様の分岐を行う。
【００７１】
上記圧力が所定の閾値ｐ２未満である場合（Ｓ２０１で圧力がｐ２未満）、感度決定部４２はユーザが電子機器１ａを把持した場合による圧力センサ５１に対する接触ではないと判断し、制御部４０は上記グリップ信号を反映した新たな動作を行わない（Ｓ１０７）。これにより、ユーザが触れていないにも関わらず画面表示部２０に画面が表示されてしまう誤作動を防ぐことができる。
【００７２】
一方で、上記圧力がｐ２以上で、所定の閾値ｐ１（ｐ１はｐ１＞ｐ２を満たす）未満である場合（Ｓ２０１で圧力がｐ２以上かつｐ１未満）、感度決定部４２の判断により、ステップＳ１０５に進む。
【００７３】
一方で、上記圧力がｐ１以上である場合（Ｓ２０１で圧力がｐ１以上）、感度決定部４２の判断により、ステップＳ１０２に進む。
【００７４】
本実施形態の構成であっても、実施形態１と同様に、ユーザの煩わしさを低減しつつ、タッチパネルの感度を切り替えることができるという効果を奏する。
【００７５】
〔実施形態５〕
本発明の他の実施形態について、図４、図７に基づいて説明すれば、以下の通りである。
【００７６】
本実施形態に係る電子機器１ａは、実施形態４に係る電子機器１ａと同様の構成を有している。なお、説明の便宜上、前記実施形態にて説明した部材と同じ機能を有する部材については、同じ符号を付記し、その説明を省略する。
【００７７】
本実施形態において処理部４０が画面表示部２０に画面を表示する場合（実施形態４におけるＳ１０３またはＳ１０６に相当）、静電容量方式のタッチセンサを用いた実施形態２と同様に、グローブモードでオブジェクトを表示する場合には通常モードで表示する場合とは異なったサイズで上記オブジェクトを表示させる。
【００７８】
本実施形態に係る電子機器１ａは、実施形態２において説明した図４のステップＳ１０２〜Ｓ１０７と同様の処理を行う。また、本実施形態における電子機器１ａにおける処理の流れには、実施形態２に係るステップＳ１０１に代えて、ステップＳ２０１が含まれている。
（Ｓ２０１）
ステップＳ２０１では、感度決定部４２が圧力センサ５１の値に基づく判定を行う。
【００７９】
そして、上記圧力がｐ２未満であればステップＳ１０７に進み、上記圧力がｐ２以上でｐ１未満であればステップＳ１０５に進み、上記圧力がｐ１以上であればステップＳ１０２に進む。
【００８０】
本実施形態の構成であっても、実施形態２と同様に、ユーザがオブジェクトへのタッチ操作を容易に行えるようになるという更なる効果を奏する。
【００８１】
〔実施形態６〕
本発明の他の実施形態について、図５、図７に基づいて説明すれば、以下の通りである。
【００８２】
本実施形態に係る電子機器１ａは、実施形態４に係る電子機器１ａと同様の構成を有している。なお、説明の便宜上、前記実施形態にて説明した部材と同じ機能を有する部材については、同じ符号を付記し、その説明を省略する。
【００８３】
本実施形態において処理部４０が画面表示部２０に画面を表示する場合（実施形態４におけるＳ１０３またはＳ１０６に相当）、静電容量方式のタッチセンサを用いた実施形態３と同様に最初に起動するアプリケーションについて規定することができる。
【００８４】
本実施形態に係る電子機器１ａは、実施形態３において説明した図５のステップＳ１０２〜Ｓ１０７と同様の処理を行う。また、本実施形態における電子機器１ａにおける処理の流れには、実施形態３に係るステップＳ１０１に代えて、ステップＳ２０１が含まれている。
（Ｓ２０１）
ステップＳ２０１では、感度決定部４２が圧力センサ５１の値に基づく判定を行う。
【００８５】
そして、上記圧力がｐ２未満であればステップＳ１０７に進み、上記圧力がｐ２以上でｐ１未満であればステップＳ１０５に進み、上記圧力がｐ１以上であればステップＳ１０２に進む。
【００８６】
本実施形態の構成であっても、実施形態３と同様に、ユーザにとって好適なアプリケーションを起動することができるという更なる効果を奏する。
【００８７】
＜実施形態４〜６に関する付記事項＞
圧力センサを用いた構成においても静電容量方式のタッチセンサを用いた場合と同様に、上記実施形態４〜６に係る実施形態において実際には、ｐ１、ｐ２二値だけの判定（通常モード、グローブモードの二種類の設定）に限定されない。例えば、３値以上の閾値を参照した判定を行うことによって、３つ以上のモードの何れかのモードを設定する構成としてもよい。
【００８８】
実施形態６においてもユーザが電子機器１ａを把持する圧力に応じて、３値以上の閾値を参照することにより起動するアプリケーションの候補を切り替え、ユーザが望むアプリケーションが候補になった時点においてユーザが把持する圧力を弱め、その判定により当該アプリケーションの起動を確定させる構成が可能である。
【００８９】
〔ソフトウェアによる実現例〕
電子機器（１、１ａ）の制御ブロック（特に制御部４０）は、集積回路（ＩＣチップ）等に形成された論理回路（ハードウェア）によって実現してもよいし、ソフトウェアによって実現してもよい。
【００９０】
後者の場合、電子機器（１、１ａ）は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９１】
〔まとめ〕
本発明の態様１に係る電子機器（１、１ａ）は、ユーザが上記電子機器（１、１ａ）を把持した場合の静電容量または圧力を検出するセンサ部（１０、５０）、上記センサ部（１０、５０）から値を受け取るセンサ値取得部４１及び上記センサ値に応じたタッチ感度を決定する感度決定部４２を備えた制御部４０、上記状態を反映するためのタッチパネル部３０、及び画面表示部２０を備えている。
【００９２】
上記の構成によれば、簡便性と即時性とを向上させつつ、タッチパネル（タッチパネル部３０）の感度を切り替えることができる。
【００９３】
本発明の態様２に係る電子機器（１、１ａ）は、上記態様１において上記制御部４０が上記取得したセンサ値に応じて、上記表示装置（画面表示部２０）に表示するオブジェクトの表示サイズを変更する表示装置（画面表示部２０）を更に備えていてもよい。
【００９４】
上記の構成によれば、画面表示部２０にグローブモードでオブジェクトを表示する場合には通常モードで表示する場合よりも大きいサイズで上記オブジェクトを表示させることにより、手袋を着用している場合においても、追加の操作を行うことなく細かい操作が行えるようになり、よりユーザが望む操作を反映させることができる。
【００９５】
本発明の態様３に係る電子機器（１、１ａ）は、上記態様１または２において、上記制御装置（制御部４０）は上記取得したセンサ値に応じたアプリケーション群に含まれるアプリケーションを起動してもよい。
【００９６】
上記の構成によれば、グローブモードで電子機器（１、１ａ）の画面表示部２０の画面表示がＯＮになり、通常屋外にいると考えられる場合、当該電子機器を把持するだけで地図アプリや時刻表等のアプリケーションがすぐに起動しユーザにとって快適な操作性を実現することができる。同様に通常モードで起動する場合も規定されたアプリケーションを設定し起動させることが可能である。
【００９７】
本発明の態様４に係る制御装置４０は、上記態様１〜３において、少なくとも１つの静電容量方式のタッチセンサ（グリップセンサ１１）または少なくとも１つの圧力センサ５１と、少なくとも１つのタッチパネル（タッチパネル部３０）とを備えている電子機器（１、１ａ）を制御する制御装置（制御部４０）であって、上記静電容量方式のタッチセンサ（グリップセンサ１１）または圧力センサ５１の値を取得するセンサ値取得部４１と、上記取得したセンサの値を参照して、上記タッチパネル（タッチパネル部３０）の感度を決定する感度決定部４２とを備えている。
【００９８】
上記の構成によれば、ユーザの煩わしさを低減しつつ、タッチパネル（タッチパネル部３０）の感度を切り替えるための構成部品である制御装置（制御部４０）を実現することができる。
【００９９】
本発明の態様１〜３に係る電子機器（１、１ａ）は、コンピュータによって実現してもよく、この場合には、コンピュータを上記電子機器（１、１ａ）が備える各部（ソフトウェア要素）として動作させることにより上記電子機器（１、１ａ）をコンピュータにて実現させる電子機器（１、１ａ）のプログラム、及びそれを記録したコンピュータ読み取り可能な記録媒体も、本発明の範疇に入る。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０１】
本発明は、ユーザによって把持することのできるスマートフォンやタブレット型端末などの情報端末装置に利用することができる。
【符号の説明】
【０１０２】
１  電子機器
１ａ  電子機器
１０  グリップセンサ部
１１  グリップセンサ
２０  画面表示部（表示装置）
３０  タッチパネル部
４０  制御部（制御装置）
４１  センサ値取得部
４２  感度決定部
５０  圧力センサ部
５１  圧力センサ
【図１】
2019020854.tif 000003
【図２】
2019020854.tif 000004
【図３】
2019020854.tif 000005
【図４】
2019020854.tif 000006
【図５】
2019020854.tif 000007
【図６】
2019020854.tif 000008
【図７】
2019020854.tif 000009